(57)【要約】【課題】複数のシートを続けて画像形成したり、シートの両面に画像形成したりする場合でも、ＲＦＩＤタグに書込まれている情報が正常でないことを表す画像を形成できる画像形成装置及び画像形成方法を提供することである。【解決手段】実施形態の画像形成装置は、ＲＦＩＤタグ読取部と、プリンタ部と、制御部とを持つ。ＲＦＩＤタグ読取部は、シートに付されたＲＦＩＤタグに書込まれた情報を読取る。制御部は、読取られた情報が、情報の正しさに関する所定の条件を満たす場合に、シート又はシートの次に搬送される次シートに印刷ジョブで指定される画像が形成されるようにプリンタ部を制御し、読取られた情報が、所定の条件を満たさない場合に、印刷ジョブに応じて現像剤担持体に担持された現像剤を除去し、シートに、ＲＦＩＤタグに書込まれている情報が正常でないことを表す画像が形成されるようにプリンタ部を制御する。【選択図】図１
2020147004.tif 000002
【特許請求の範囲】
【請求項１】
搬送されたシートに付されたＲＦＩＤタグに書込まれた情報を読取るＲＦＩＤタグ読取部と、
受け付けた印刷ジョブで指定される画像と前記ＲＦＩＤタグに書込まれている情報が正常でないことを表す画像とのうち少なくとも一方をシートに形成するプリンタ部と、
ＲＦＩＤタグ読取部によって読取られた情報が、情報の正しさに関する所定の条件を満たす場合に、前記シート又は前記シートの次に搬送される次シートに前記印刷ジョブで指定される画像が形成されるように前記プリンタ部を制御し、前記読取られた情報が、前記情報の正しさに関する所定の条件を満たさない場合に、前記印刷ジョブに応じて現像剤担持体に担持された現像剤を前記現像剤担持体から除去し、前記シートに、前記ＲＦＩＤタグに書込まれている情報が正常でないことを表す画像が形成されるように前記プリンタ部を制御する制御部と、
を備える画像形成装置。
【請求項２】
外部の装置から前記ＲＦＩＤタグに書込まれる所定の情報を表す書込情報を取得する通信部と、
前記書込情報を前記ＲＦＩＤタグに書込むＲＦＩＤタグ記録部と、
を更に備える請求項１に記載の画像形成装置。
【請求項３】
前記制御部は、前記情報の正しさに関する所定の条件を満たさない場合に、前記シートに付されたＲＦＩＤタグに書込まれた書込情報を次シートに付されたＲＦＩＤタグに書込むように制御し、前記シートに形成される画像が、前記次シートに形成されるように制御する請求項１又は２に記載の画像形成装置。
【請求項４】
前記制御部は、前記情報の正しさに関する所定の条件を満たさない場合に、前記前記ＲＦＩＤタグに書込まれている情報が正常でないことを表す画像が前記シートの後端側に印刷されるように制御し、
前記プリンタ部は、前記前記ＲＦＩＤタグに書込まれている情報が正常でないことを表す画像を前記シートの後端側に印刷する、
請求項１から３のいずれか一項に記載の画像形成装置。
【請求項５】
画像形成装置が、搬送されたシートに付されたＲＦＩＤタグに書込まれた情報を読取るＲＦＩＤタグ読取ステップと、
画像形成装置が、受け付けた印刷ジョブで指定される画像と前記ＲＦＩＤタグに書込まれている情報が正常でないことを表す画像とのうち少なくとも一方をシートに形成するプリンタステップと、
画像形成装置が、ＲＦＩＤタグ読取部によって読取られた情報が、情報の正しさに関する所定の条件を満たす場合に、前記シート又は前記シートの次に搬送される次シートに前記印刷ジョブで指定される画像が形成されるように前記プリンタステップにおいて制御し、前記読取られた情報が、前記情報の正しさに関する所定の条件を満たさない場合に、前記印刷ジョブに応じて現像剤担持体に担持された現像剤を前記現像剤担持体から除去し、前記シートに、前記ＲＦＩＤタグに書込まれている情報が正常でないことを表す画像が形成されるように前記プリンタステップにおいて制御する制御ステップと、
を有する画像形成方法。
【発明の詳細な説明】
【技術分野】
【０００１】
本発明の実施形態は、画像形成装置及び画像形成方法に関する。
【背景技術】
【０００２】
ＲＦＩＤ（Radio Frequency Identifier）タグが付与されたシートにＲＦＩＤタグへの書込みとシートへの画像形成とを行う画像形成装置がある。このような画像形成装置は、ＲＦＩＤタグに書込まれた情報を読取ることで、書込まれた情報が正常であるか否かを判断できる。ＲＦＩＤタグに書込まれた情報が正常ではない場合、ＲＦＩＤタグへの書込まれた情報が正常でないことを表す画像形成をシートに行う。しかし、複数のシートを続けて画像形成したり、両面に画像形成したりする場合、画像形成装置は、シートの一面に画像形成すると次の一面に画像形成するための処理を行う。このため、画像形成装置は、読取られたＲＦＩＤタグの情報が正常でない場合に、ＲＦＩＤタグに書込まれている情報が正常でないことを表す画像を形成できない場合があった。
【先行技術文献】
【特許文献】
【０００３】
【特許文献１】特開２００９−１５１４５号公報
【発明の概要】
【発明が解決しようとする課題】
【０００４】
本発明が解決しようとする課題は、複数のシートを続けて画像形成したり、シートの両面に画像形成したりする場合でも、ＲＦＩＤタグに書込まれている情報が正常でないことを表す画像を形成できる画像形成装置及び画像形成方法を提供することである。
【課題を解決するための手段】
【０００５】
実施形態の画像形成装置は、ＲＦＩＤタグ読取部と、プリンタ部と、制御部とを持つ。ＲＦＩＤタグ読取部は、搬送されたシートに付されたＲＦＩＤタグに書込まれた情報を読取る。プリンタ部は、受け付けた印刷ジョブで指定される画像と前記ＲＦＩＤタグに書込まれている情報が正常でないことを表す画像とのうち少なくとも一方をシートに形成する。制御部は、ＲＦＩＤタグ読取部によって読取られた情報が、情報の正しさに関する所定の条件を満たす場合に、前記シート又は前記シートの次に搬送される次シートに前記印刷ジョブで指定される画像が形成されるように前記プリンタ部を制御し、前記読取られた情報が、前記情報の正しさに関する所定の条件を満たさない場合に、前記印刷ジョブに応じて現像剤担持体に担持された現像剤を前記現像剤担持体から除去し、前記シートに、前記ＲＦＩＤタグに書込まれている情報が正常でないことを表す画像が形成されるように前記プリンタ部を制御する。
【図面の簡単な説明】
【０００６】
【図１】第１の実施形態の画像形成装置の全体構成例を示す外観図。
【図２】第１の実施形態の画像形成システムのシステム構成を表すシステム構成図。
【図３】第１の実施形態の画像形成装置のハードウェア構成を示すブロック図。
【図４】第１の実施形態の書込情報サーバのハードウェア構成を示すブロック図。
【図５】第１の実施形態の画像形成装置の内部構成の一具体例を示す図。
【図６】第１の実施形態のＲＦＩＤタグに書込まれた情報が正常である場合のシートの搬送経路の一具体例を示す図。
【図７】第１の実施形態のＲＦＩＤタグに書込まれた情報が正常でない場合のシートの搬送経路の一具体例を示す図。
【図８】第１の実施形態のＲＦＩＤタグに書込まれた情報の処理の流れを示すフローチャート。
【図９】第２の実施形態の画像形成装置の内部構成の一具体例を示す図。
【発明を実施するための形態】
【０００７】
以下、実施形態の画像形成装置及び画像形成方法を、図面を参照して説明する。
【０００８】
（第１の実施形態）
図１は、第１の実施形態の画像形成装置１００の全体構成例を示す外観図である。画像形成装置１００は、例えば複合機である。画像形成装置１００は、ディスプレイ１１０、コントロールパネル１２０、プリンタ部１３０、シート収容部１４０及び画像読取部２００を備える。なお、画像形成装置１００のプリンタ部１３０は、トナー像を定着させる電子写真方式の装置であってもよいし、インクジェット式の装置であってもよい。
【０００９】
画像形成装置１００は、トナー等の現像剤を用いてシート上に画像を形成する。シートは、例えば紙やラベル用紙である。シートは、ＲＦＩＤタグが付されたシートであってもよい。シートは、その表面に画像形成装置１００が画像を形成できる物であればどのような物であってもよい。なお、ＲＦＩＤタグが付されたシートとは、シートの表面にＲＦＩＤタグが貼付されていることであってもよいし、シートの内部にＲＦＩＤタグが埋め込まれていることであってもよい。
【００１０】
ディスプレイ１１０は、液晶ディスプレイ、有機ＥＬ（Electro Luminescence）ディスプレイ等の画像表示装置である。ディスプレイ１１０は、画像形成装置１００に関する種々の情報を表示する。
【００１１】
コントロールパネル１２０は、複数のボタンを有する。コントロールパネル１２０は、ユーザの操作を受け付ける。コントロールパネル１２０は、ユーザによって行われた操作に応じた信号を、画像形成装置１００の制御部に出力する。なお、ディスプレイ１１０とコントロールパネル１２０とは一体のタッチパネルとして構成されてもよい。
【００１２】
プリンタ部１３０は、画像読取部２００によって生成された画像情報又は通信路を介して受信された画像情報に基づいて、シート上に画像を形成する。プリンタ部１３０は、例えば以下のような処理によって画像を形成する。プリンタ部１３０は、画像情報に基づいて感光体ドラム上に静電潜像を形成する。プリンタ部１３０は、静電潜像に現像剤を付着させることによって可視像を形成する。現像剤の具体例として、トナーがある。プリンタ部１３０は、可視像をシート上に転写する。プリンタ部１３０は、シートに対して加熱及び加圧を行うことによって、可視像をシート上に定着させる。なお、画像が形成されるシートは、シート収容部１４０に収容されているシートであってもよいし、手指しされたシートであってもよい。
【００１３】
シート収容部１４０は、プリンタ部１３０における画像形成に用いられるシートを収容する。
画像読取部２００は、読取り対象の画像情報を光の明暗として読取る。画像読取部２００は、読取られた画像情報を記録する。記録された画像情報は、ネットワークを介して他の情報処理装置に送信されてもよい。記録された画像情報は、プリンタ部１３０によってシート上に画像形成されてもよい。
【００１４】
図２は、第１の実施形態の画像形成システム１のシステム構成を表すシステム構成図である。画像形成システム１は、ネットワーク４００に設けられる。画像形成システム１は、ネットワーク４００を介して互いに通信可能に接続される画像形成装置１００及び書込情報サーバ３００を備える。ネットワーク４００は、例えばインターネット等の広域通信網である。ネットワーク４００は、無線通信を用いたネットワークであってもよいし、有線通信を用いたネットワークであってもよい。ネットワーク４００は、複数のネットワークが組み合わされて構成されてもよい。
【００１５】
書込情報サーバ３００は、サーバ又はパーソナルコンピュータ等の情報処理装置を用いて構成される。書込情報サーバ３００は、画像形成装置１００からの要求に応じてシートに付されたＲＦＩＤタグに書込みされる書込情報を送信する。書込情報は、シートに付されたＲＦＩＤタグに書込まれる情報である。書込情報は、例えば、ＪＡＮ（Japan Article Number）コードや、シリアル番号等の情報である。書込情報は、アンテナ１５４によってＲＦＩＤタグのＥＰＣ（Electronic Product Code）領域に書込みされる。
【００１６】
図３は、第１の実施形態の画像形成装置１００のハードウェア構成を示すブロック図である。画像形成装置１００は、ディスプレイ１１０、コントロールパネル１２０、プリンタ部１３０、シート収容部１４０、記憶装置１５１、メモリ１５２、プロセッサ１５３、アンテナ１５４、外部インターフェース１５５及び画像読取部２００を備える。なお、ディスプレイ１１０、コントロールパネル１２０、プリンタ部１３０、シート収容部１４０及び画像読取部２００については、上記で説明したため説明を省略する。以下、記憶装置１５１、メモリ１５２、プロセッサ１５３、アンテナ１５４及び外部インターフェース１５５について説明する。なお、各機能部は、システムバス１６０を介してデータ通信可能に接続されている。
【００１７】
記憶装置１５１は、例えばハードディスク又はＳＳＤ（solid state drive）であり、各種データを記憶する。各種データは、外部の通信装置から受け付けた印刷ジョブや、画像形成装置１００の各機能部の動作を制御するためのソフトウェアプログラムである。印刷ジョブは、書込情報サーバ３００からいずれの書込情報を取得するかを表す情報を含んでいてもよい。印刷ジョブは、両面印刷に関するジョブであってもよいし、複数枚の印刷に関するジョブであってもよい。印刷ジョブは、シートに印刷される画像に関する画像情報を含んでもよい。
【００１８】
メモリ１５２は、画像形成装置１００が備える各機能部が用いるデータを一時的に記憶する。メモリ１５２は、例えばＲＡＭ（Random Access Memory）である。なお、メモリ１５２は、画像読取部２００が生成するデジタルデータを記憶してもよい。メモリ１５２は、プリンタ部１３０によって印刷が行われている印刷ジョブや、書込情報サーバ３００から受信したＲＦＩＤタグへ書込みされる書込情報を一時的に記憶してもよい。
【００１９】
プロセッサ１５３は、画像形成装置１００の各機能部の動作を制御する。プロセッサ１５３は、記憶装置１５１に記憶されたソフトウェアプログラムをメモリ１５２上にロードし、ソフトウェアプログラムを実行することにより処理を実行する。ここで、プロセッサ１５３の具体的な処理について一例を挙げて説明する。プロセッサ１５３は、外部の通信装置又はコントロールパネル１２０を介して受け付けた印刷ジョブに基づいて、ＲＦＩＤタグを付されたシートに対する印刷を制御する。プロセッサ１５３は、ＲＦＩＤタグを付されたシートに関する印刷ジョブを受け付けると、印刷ジョブで指定された書込情報と書込情報に対応付けられた画像情報とを書込情報サーバ３００から取得する。書込情報に対応付けられた画像情報は、シートに形成される画像に関する情報である。なお、画像情報は必ずしも書込情報に対応付けられる必要はない。この場合、画像情報は印刷ジョブに含まれていればよい。プロセッサ１５３は、シート収容部１４０を制御する。シート収容部１４０は、ＲＦＩＤタグを付されたシートを給紙する。プロセッサ１５３は、プリンタ部１３０を制御する。プリンタ部１３０は、書込情報サーバ３００から取得された画像情報をシートに印刷する。プロセッサ１５３は、アンテナ１５４を制御する。アンテナ１５４は、給紙されたシートに付されたＲＦＩＤタグに書込情報を書込む。アンテナ１５４は、ＲＦＩＤタグに書込まれた書込情報を読取る。プロセッサ１５３は、書込情報サーバ３００から取得された書込情報と、ＲＦＩＤタグから読取られた情報と、が一致しているか否かを判定する。プロセッサ１５３は、書込情報サーバ３００から取得された書込情報と、ＲＦＩＤタグから読取られた情報と、が一致している場合、搬送ローラ（不図示）を制御して、シートを排紙する。プロセッサ１５３は、書込情報サーバ３００から取得された書込情報と、ＲＦＩＤタグから読取られた情報と、が一致していない場合、書込みが正常に行われなかったことを表す画像をシートに印刷する。搬送ローラを制御して書込みが正常に行われなかったことを表す画像が印刷されると、シートは排紙される。
【００２０】
アンテナ１５４は、シートに付されたＲＦＩＤタグに対して情報の書込みを行う。また、アンテナ１５４は、シートに付されたＲＦＩＤタグからの情報の読取りを行う。アンテナ１５４は、ＲＦＩＤタグの書込装置として動作することで、書込情報サーバ３００から取得された書込情報をシートに付されたＲＦＩＤタグに書込む。アンテナ１５４は、ＲＦＩＤタグの読取装置として動作することで、ＲＦＩＤタグに書込まれた情報を読取る。アンテナ１５４は、プリンタ部１３０よりも下流に設けられる。アンテナ１５４は、プリンタ部１３０よりも下流に設けられることで、プリンタ部１３０によって加熱された後にＲＦＩＤタグに対する書込み及び読取りを行う。したがって、アンテナ１５４は、プリンタ部１３０よりも下流に設けられることで、例えばプリンタ部１３０により加熱されることでＲＦＩＤタグが故障した場合に故障を検出することが可能になる。アンテナ１５４はＲＦＩＤタグ読取部とＲＦＩＤタグ記録部との一態様である。なお、アンテナ１５４は、ＲＦＩＤタグに対する情報の書込みと情報の読取りとをいずれも行うように構成されているが、これに限定されない。例えば、アンテナ１５４は、書込み用アンテナと読取り用アンテナとが、異なるアンテナで設けられていてもよい。
【００２１】
外部インターフェース１５５は、他の装置との間でデータの送受信を行う。ここで、他の装置とは、例えば、パーソナルコンピュータ、タブレットコンピュータ又はスマートデバイス等の情報処理装置や書込情報サーバ３００等の情報処理装置である。外部インターフェース１５５は、入力インターフェースとして動作し、他の装置から送信されるデータ、又は、指示を受信する。他の装置から送信される指示は印刷ジョブ等である。他の装置から送信されるデータは、書込情報と書込情報に対応付けられた画像情報等である。また、外部インターフェース１５５は、出力インターフェースとして動作し、他の装置に対してデータを送信する。
【００２２】
図４は、第１の実施形態の書込情報サーバ３００のハードウェア構成を示すブロック図である。書込情報サーバ３００は、記憶装置３０１、メモリ３０２、プロセッサ３０３及び外部インターフェース３０４を備える。なお、各機能部は、システムバス３０５を介してデータ通信可能に接続されている。
【００２３】
記憶装置３０１は、例えばハードディスク又はＳＳＤであり、各種データを記憶する。各種データは、ＲＦＩＤタグに書込まれる書込情報や書込情報に対応付けられた画像情報である。各種データは、書込情報サーバ３００の各機能部の動作を制御するためのソフトウェアプログラムである。
【００２４】
メモリ３０２は、書込情報サーバ３００が備える各機能部が用いるデータを一時的に記憶する。メモリ３０２は、例えばＲＡＭである。
【００２５】
プロセッサ３０３は、書込情報サーバ３００の各機能部の動作を制御する。プロセッサ３０３は、記憶装置３０１に記憶されたソフトウェアプログラムをメモリ３０２上にロードし、ソフトウェアプログラムを実行することにより処理を実行する。ここで、プロセッサ３０３の具体的な処理について一例を挙げて説明する。プロセッサ３０３は、画像形成装置１００から外部インターフェース３０４を介して書込情報と、書込情報に対応付けられた画像情報と、に対する要求を受け付ける。プロセッサ３０３は、要求された書込情報と、書込情報に対応付けられた画像情報とを画像形成装置１００に送信する。
【００２６】
外部インターフェース３０４は、他の装置との間でデータの送受信を行う。ここで、他の装置とは、例えば画像形成装置１００等の装置である。外部インターフェース３０４は、入力インターフェースとして動作し、他の装置から送信されるデータ又は指示を受信する。他の装置から送信される指示としては、書込情報の要求等である。また、外部インターフェース３０４は、出力インターフェースとして動作し、他の装置に対してデータを送信する。
【００２７】
図５は、第１の実施形態の画像形成装置１００の内部構成の一具体例を示す図である。画像形成装置１００は、プリンタ部１３０、シート収容部１４０、アンテナ１５４、排紙部１５６及びシート反転経路１５７を備える。プリンタ部１３０は、画像形成部１３１及び定着部１３２を備える。シート収容部１４０は、給紙部１４１を備える。シート反転経路１５７は、レジスト部１５８を備える。なお、プリンタ部１３０、シート収容部１４０及びアンテナ１５４については、上記で説明したため説明を省略する。以下、画像形成部１３１、定着部１３２、給紙部１４１、排紙部１５６、シート反転経路１５７及びレジスト部１５８について説明する。
【００２８】
画像形成部１３１は、所定のトナーを有する。本実施形態では、例えば、上流側（図の左側）からイエロー、シアン、マゼンタ及びブラックのトナーを有する。また、所定のトナーは、消色トナー等の特殊トナーであってもよい。画像形成部１３１は、現像器、感光体ドラム及び図示しない帯電部をトナー毎に有する。帯電部は、感光体ドラムの表面（感光体層）に一様に帯電させる。感光体ドラムは、レーザ光を照射されることで表面に静電潜像を形成する。現像器が静電潜像に対してトナーを付加することで現像を行う。また、画像形成部１３１は転写ベルトを有する。各トナーにより現像された画像は、転写ベルトに順次重ねて転写される。重ねて転写された画像は、その後に不図示の転写ローラによりシートへ転写される。なお、本実施形態では上述の通り中間転写方式による画像形成方法を説明したが、例えば直接転写方式やその他の転写方式を使用しても良い。
【００２９】
定着部１３２は、加熱ローラと加圧ローラとを備える。加熱ローラは、シートの一方の面側からシートに熱を加える。加圧ローラはシートの他方の面側からシートに圧力を与える。定着部１３２は、熱と圧力とシートに与えることによってシートに転写されたトナーを定着させる。
【００３０】
給紙部１４１は、シート収容部１４０に収容されたシートを給紙する。給紙部１４１は、例えば給紙ローラによって構成される。排紙部１５６は、画像形成装置１００の内部を搬送されたシートを排紙する。排紙部１５６は、例えば排紙ローラによって構成される。
【００３１】
シート反転経路１５７は、シートの画像形成された面の他方の面（以下「裏面」という。）に、画像形成するためにシートを反転させるための経路である。シート反転経路１５７は、排紙部１５６まで搬送されたシートをスイッチバックにより反転させて搬送させる経路である。
【００３２】
レジスト部１５８は、シート反転経路１５７に設けられる。第１の実施形態では、レジスト部１５８は、シート反転経路１５７の最も下流に設けられたレジストローラであるものとして説明する。レジスト部１５８は、シートの搬送を一時停止する。レジスト部１５８は、シートの搬送を停止することで、シートの傾きを搬送方向に対して垂直に修正する。なお、レジスト部１５８の場所は、シート反転経路１５７の最も下流に限定されない。レジスト部１５８は、排紙部１５６とシート反転経路１５７との間の経路に設けられたレジストローラであれば、どの場所であってもよい。
【００３３】
図６は、第１の実施形態のＲＦＩＤタグに書込まれた情報が正常である場合のシートの搬送経路の一具体例を示す図である。まず、ＲＦＩＤタグを付されたシートが、シート収容部１４０から給紙される。給紙されたシートは、プリンタ部１３０に搬送される。シートはプリンタ部１３０にて画像形成される。画像形成されたシートは、アンテナ１５４まで搬送される。アンテナ１５４まで搬送されたシートは、アンテナ１５４によってＲＦＩＤタグに書込情報を書込まれる。アンテナ１５４は、ＲＦＩＤタグに書込まれた書込情報を読取る。プロセッサ１５３は、読取られた情報と書込まれた情報とが一致している場合に、ＲＦＩＤタグに書込まれた情報が正常であると判定する。シートは、排紙部１５６に搬送され、画像形成装置１００から排紙される。
【００３４】
図７は、第１の実施形態のＲＦＩＤタグに書込まれた情報が正常でない場合のシートの搬送経路の一具体例を示す図である。まず、ＲＦＩＤタグを付されたシートが、シート収容部１４０から給紙される。給紙されたシートは、プリンタ部１３０に搬送される。シートはプリンタ部１３０にて画像形成される。画像形成されたシートは、アンテナ１５４まで搬送される。アンテナ１５４まで搬送されたシートは、アンテナ１５４によってＲＦＩＤタグに書込情報を書込まれる。アンテナ１５４は、ＲＦＩＤタグに書込まれた書込情報を読取る。プロセッサ１５３は、読取られた情報と書込まれた情報とが一致していない場合に、ＲＦＩＤタグに書込まれた情報が正常でないと判定する。ＲＦＩＤタグに書込まれた情報が正常でないと判定されると、シートは、排紙部１５６からスイッチバックされ、シート反転経路１５７に搬送される。シート反転経路１５７に搬送されたシートは、レジスト部１５８で一時停止する。ＲＦＩＤタグに書込まれた情報が正常でないと判定されると、プリンタ部１３０は、搬送されたシートの裏面又は次に搬送されるシートに画像形成される現像剤を現像剤担持体から除去する。プリンタ部１３０は、ＲＦＩＤタグに書込まれている情報が正常でないことを表す画像（以下「ボイド画像」という。）が形成されるように現像する。ボイド画像は、例えば「×」等のマークや、「タグへの書込み処理が正常に完了しませんでした」等の文章を含む。レジスト部１５８で一時停止されたシートは、一時停止から所定の時間が経過するとプリンタ部１３０に搬送される。所定の時間は、例えば、プリンタ部１３０がボイド画像を形成できるようになるまでの時間であってもよい。プリンタ部１３０に搬送されたシートは、ボイド画像を形成される。ボイド画像を形成されたシートは、排紙部１５６から排紙される。
【００３５】
図８は、第１の実施形態のＲＦＩＤタグに書込まれた情報の処理の流れを示すフローチャートである。本フローチャートは、ＲＦＩＤタグを付されたシートを用いて両面印刷を行う印刷ジョブを受け付けた場合に実行される。画像形成装置１００のプロセッサ１５３は印刷ジョブを受け付ける（ＡＣＴ１０１）。具体的には、パーソナルコンピュータ等の外部の情報処理装置が、両面印刷に関する印刷ジョブをネットワークを介して画像形成装置１００に送信する。画像形成装置１００のプロセッサ１５３は、外部インターフェース１５５を介して印刷ジョブを受け付ける。
【００３６】
プロセッサ１５３は、書込情報と書込情報に対応付けられた画像情報とを取得する（ＡＣＴ１０２）。具体的には、プロセッサ１５３は、印刷ジョブを受け付けると、外部インターフェース１５５を介して書込情報サーバ３００に書込情報と書込情報に対応付けられた画像情報とを要求する。書込情報サーバ３００は、要求された書込情報と書込情報に対応付けられた画像情報とを画像形成装置１００に送信する。
【００３７】
プリンタ部１３０は、搬送されたシートの一方の面（表面）に画像形成する（ＡＣＴ１０３）。具体的には、印刷ジョブを受け付けたことに応じて、シート収容部１４０からＲＦＩＤタグを付されたシートが給紙される。プリンタ部１３０は、取得された画像情報に基づいて画像を現像する。プリンタ部１３０は、給紙されたシートに現像された画像を定着させることで画像形成する。
【００３８】
アンテナ１５４は、ＲＦＩＤタグに書込情報を書込む（ＡＣＴ１０４）。具体的には、アンテナ１５４は、画像形成されたシートが搬送されると、書込情報を書込むための電磁波を放出する。シートに付されたＲＦＩＤタグは、電磁波を受信することで書込情報をＲＦＩＤタグの記憶領域に書込まれる。アンテナ１５４は、ＲＦＩＤタグに書込まれた情報を読取る（ＡＣＴ１０５）。具体的には、ＲＦＩＤタグに書込まれた情報を読取るための電磁波を放出する。シートに付されたＲＦＩＤタグは、電磁波を受信することで記憶領域に記録された情報をアンテナ１５４に放出する。アンテナ１５４は、ＲＦＩＤタグから受信した情報を読取情報としてプロセッサ１５３に出力する。
【００３９】
プロセッサ１５３は、ＲＦＩＤタグに書込まれた情報が正常な情報であるか否かを判定する（ＡＣＴ１０６）。具体的には、プロセッサ１５３は、読取情報が情報の正しさに関する所定の条件を満たすか否かを判定する。例えば、プロセッサ１５３は、書込情報サーバ３００から取得した書込情報と、ＲＦＩＤタグから読取った読取情報と、が一致している場合に、ＲＦＩＤタグに書込まれた情報が正常な情報であると判定する。書込情報サーバ３００から取得した書込情報と、ＲＦＩＤタグから読取った読取情報と、が一致していない場合に、ＲＦＩＤタグに書込まれた情報が正常な情報でないと判定する。
【００４０】
ＲＦＩＤタグに書込まれた情報が正常な情報である場合（ＡＣＴ１０６：ＹＥＳ）、プリンタ部１３０は、書込情報サーバ３００から取得された画像情報に基づいてシートの裏面に画像形成する（ＡＣＴ１０７）。具体的には、プロセッサ１５３は、ＡＣＴ１０３にて画像形成されたシートの他方の面に、画像形成装置１００が受け付けた印刷ジョブに応じて取得された画像情報に基づいた画像が形成されるように制御する。プリンタ部１３０は、シートの裏面に画像を形成する。
【００４１】
ＲＦＩＤタグに関する所定の条件を満たさない場合（ＡＣＴ１０６：ＮＯ）、プリンタ部１３０は、シートの裏面にボイド画像を形成する（ＡＣＴ１０８）。具体的には、プロセッサ１５３は、シートの裏面に画像形成される予定であった現像剤を現像剤担持体から除去するようにプリンタ部１３０を制御する。プロセッサ１５３は、ボイド画像が形成されるようにプリンタ部１３０を制御する。プリンタ部１３０は、シートの裏面にボイド画像を形成する。画像形成装置１００は、シートを排紙する（ＡＣＴ１０９）。
【００４２】
上述の実施形態では、両面印刷が行われる場合について説明したが、両面印刷が行われる場合に限定されない。例えば、画像形成装置１００は、複数枚の片面印刷を行う場合にボイド画像を形成するように構成されてもよい。具体的には、ＲＦＩＤタグに書込まれた情報が正常な情報ではない場合、プロセッサ１５３はシートを排紙部１５６からスイッチバックさせることでシート反転経路１５７に搬送させる。次に、シート反転経路１５７に搬送されたシートはレジスト部１５８で一時停止する。プリンタ部１３０は、次シートに画像形成される予定であった現像剤を現像剤担持体から除去する。プロセッサ１５３は、ボイド画像が形成されるようにプリンタ部１３０を制御する。プリンタ部１３０は、シート反転経路１５７から搬送されたシートの裏面にボイド画像を形成する。画像形成装置１００は、シートを排紙する。
【００４３】
このように構成された画像形成装置１００のアンテナ１５４は、搬送されたシートに付されたＲＦＩＤタグに書込まれた情報を読取る。画像形成装置１００のプリンタ部１３０は、受け付けた印刷ジョブで指定される画像とＲＦＩＤタグに書込まれている情報が正常でないことを表す画像とのうち少なくとも一方をシートに形成する。読取られた情報が情報の正しさに関する所定の条件を満たす場合に、画像形成装置１００の制御部（例えば、プロセッサ１５３）はシート又はシートの次に搬送される次シートに印刷ジョブで指定される画像が形成されるようにプリンタ部１３０を制御する。読取られた情報が情報の正しさに関する所定の条件を満たさない場合に、制御部は印刷ジョブに応じて現像剤担持体に担持された現像剤を現像剤担持体から除去するようにプリンタ部１３０を制御する。次に制御部は、ＲＦＩＤタグに書込まれている情報が正常でないことを表す画像がシートに形成されるようにプリンタ部を制御する。
、このため、画像形成装置は、両面印刷を行う際に、ＲＦＩＤタグへの書込みを失敗した場合であっても、シートにボイド画像を印刷することが可能になる。このように構成されることで、画像形成装置１００は、複数のシートを続けて画像形成したり、シートの両面に画像形成したりする場合でも、ＲＦＩＤタグへの書込みを失敗したことを表す画像を形成できる。
【００４４】
（第２の実施形態）
次に、第２の実施形態における画像形成装置１００ａについて説明する。第２の実施形態における画像形成装置１００ａは、アンテナ１５４の設けられた場所が第１の実施形態とは異なるが、それ以外の構成は同じである。以下、第１の実施形態と異なる点について説明する。
【００４５】
図９は、第２の実施形態の画像形成装置１００ａの内部構成の一具体例を示す図である。画像形成装置１００ａは、アンテナ１５４の位置が、プリンタ部１３０よりも上流に設けられている点で第１の実施形態と異なるが、それ以外の構成は同じである。このように構成されることで、プロセッサ１５３は、ＲＦＩＤタグに書込まれた情報が正常ではないと判断した場合、シートの表面に画像形成される予定であった現像剤を現像剤担持体から除去するようにプリンタ部１３０を制御する。次に、プロセッサ１５３は、ボイド画像が形成されるようにプリンタ部１３０を制御する。プリンタ部１３０は、シートの表面にボイド画像を形成する。このように構成されることで、画像形成装置１００ａは、ＲＦＩＤタグに書込まれた情報が正常ではないと判断した場合に、画像情報に基づいて画像形成を行うことなく、ボイド画像を印刷することが可能になる。また、画像形成装置１００ａは、ＲＦＩＤタグに書込まれた情報が正常ではないと判断した場合に、シートに画像形成をすることなく排紙するように構成されてもよい。このように構成されることで、画像形成装置１００ａは、ボイド画像の画像形成に用いられる現像剤を節約することが可能になる。
【００４６】
（変形例）
画像形成装置１００は、搬送されるシートの後端側ボイド画像が形成されるように構成されてもよい。このように構成されることで、画像形成装置１００は、シートの前端部分の搬送時間だけ、レジスト部１５８でシートを一時停止させる時間を短縮することが可能になる。
【００４７】
画像形成装置１００は、ＲＦＩＤタグに書込まれた情報がＲＦＩＤタグに関する所定の条件を満たさない場合に、シートの画像形成において実行された印刷ジョブに基づいて、次に搬送されるシートの画像形成が行われるように構成されてもよい。具体的には、プロセッサ１５３は、ＲＦＩＤタグに書込まれた情報が正常な情報ではない場合に、書込情報サーバ３００から取得された書込情報と書込情報に対応付けられた画像情報とを記憶装置１５１又はメモリ１５２に記録する。次に、プロセッサ１５３は、ボイド画像が形成されたシートを排紙するように制御する。プロセッサ１５３は、次に搬送されたシートに、記憶装置１５１又はメモリ１５２に記録された画像情報に基づいて画像形成を行うようにプリンタ部１３０を制御する。プロセッサ１５３は、画像形成されたシートに付されたＲＦＩＤタグに、記憶装置１５１又はメモリ１５２に記録された書込情報が書込みされるようにアンテナ１５４を制御する。このように構成されることで、画像形成装置１００は、ＲＦＩＤタグに書込まれた情報がＲＦＩＤタグに関する所定の条件を満たさない場合であっても、再度印刷ジョブを受け付けることなく、画像形成を行うことが可能になる。
【００４８】
画像形成装置１００は、プリンタ部１３０の最も下流に設けられた現像剤を用いてボイド画像を形成するように構成されてもよい。すなわち、本実施形態の画像形成装置１００においては、ブラックの現像剤である。このように構成されることで、現像された画像が転写ベルトを介してシートへ転写される位置までに搬送される距離が他の現像剤を使用した場合よりも短いため、画像形成装置１００は、プリンタ部１３０における現像剤の搬送時間だけレジスト部１５８でシートを一時停止させる時間を短縮することが可能になる。
【００４９】
以上説明した少なくともひとつの実施形態によれば、プリンタ部１３０とプロセッサ１５３とアンテナ１５４とを持つことにより、複数のシートを続けて印刷したり、両面印刷したりする場合でも、ＲＦＩＤタグへの書込みを失敗したことを表す印刷をすることができる画像形成装置及び画像形成方法を提供することである。
【００５０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５１】
１…画像形成システム、１００…画像形成装置、１１０…ディスプレイ、１２０…コントロールパネル、１３０…プリンタ部、１３１…画像形成部、１３２…定着部、１４０…シート収容部、１４１…給紙部、１５１…記憶装置、１５２…メモリ、１５３…プロセッサ、１５４…アンテナ、１５５…外部インターフェース、１５６…排紙部、１５７…シート反転経路、１５８…レジスト部、１６０…システムバス、３００…書込情報サーバ、３０１…記憶装置、３０２…メモリ、３０３…プロセッサ、３０４…外部インターフェース、４００…ネットワーク
【図１】
2020147004.tif 000003
【図２】
2020147004.tif 000004
【図３】
2020147004.tif 000005
【図４】
2020147004.tif 000006
【図５】
2020147004.tif 000007
【図６】
2020147004.tif 000008
【図７】
2020147004.tif 000009
【図８】
2020147004.tif 000010
【図９】
2020147004.tif 000011